(57)【特許請求の範囲】
【請求項１】
第１燃焼装置及び第１蓄熱装置を備えた第１燃焼室と、第２燃焼装置及び第２蓄熱装置を備えた第２燃焼室と、第１及び第２燃焼装置を交互に燃焼作動させる燃焼装置切換手段と、各蓄熱装置を排気状態又は高温気流導入状態に切換える蓄熱装置切換手段とを有する高温気流発生装置において、
前記燃焼室は、対向する第１及び第２端面と、端面間に延びる頂面とを有し、前記燃焼装置は、第１端面に開口して前記燃焼室に燃料及び燃焼用空気、又は燃焼ガスを吹込み、前記蓄熱装置は、前記第２端面に開口して前記燃焼室の燃焼ガスを排気するとともに、加熱すべき気体を加熱して、高温気流として前記第２端面から燃焼室に吹込み、
該高温気流を前記燃焼室から導出する高温気流導出口が、前記頂面に開口することを特徴とする高温気流発生装置。
【請求項２】
加熱すべき気体は、水蒸気であり、一方の燃焼室に導入された高温気流の一部を他方の燃焼室に供給するバイパス流路を更に備えたことを特徴とする請求項１に記載の高温気流発生装置。
【請求項３】
燃焼室の燃焼排ガスの一部が、前記燃焼装置の燃焼用空気に添加されることを特徴とする請求項１又は２に記載の高温気流発生装置。
【請求項４】
前記第１及び第２燃焼室の隔壁を構成する一次加熱装置が、前記第１及び第２燃焼室の間に配置され、前記一次加熱装置は、加熱すべき気体又は該気体として気化すべき液体が流通可能な伝熱管を有し、前記一次加熱装置は、前記燃焼室の燃焼熱が前記伝熱管内の前記気体又は前記液体に熱伝導し、該気体又は液体が加熱される構造を有することを特徴とする請求項１乃至３のいずれか１項に記載の高温気流発生装置。
【請求項５】
高温気流室が、前記頂壁の上側に配設され、前記第１及び第２燃焼室の高温気流導出口から上方に延びる第１及び第２流路が該燃焼室の頂壁を貫通し、高温気流室に開口し、前記高温気流室には、前記高温気流を系外の装置又は設備に給送する高温気流送出管が接続されることを特徴とする請求項１乃至４のいずれか１項に記載の高温気流発生装置。
【請求項６】
前記第１及び第２流路は、各流路の上部が互いに接近するように対称に傾斜し、前記高温気流送出管は、第１及び第２流路の中間において前記高温気流室の頂壁に開口し、各流路の上端開口が傾斜方向に吐出した高温気流を受入れることを特徴とする請求項５に記載の高温気流発生装置。
【請求項７】
ハニカム構造の蓄熱体が前記第１及び第２流路に配置され、前記高温気流は、前記蓄熱体の狭小流路を介して高温気流室に吐出することを特徴とする請求項５又は６に記載の高温気流発生装置。
【請求項８】
前記蓄熱装置は、ハニカム構造のセラミックス製蓄熱体と、給排切換弁装置とを備えた蓄熱ユニットからなり、前記蓄熱体は、リジェネレータ型熱交換器を構成し、前記給排切換弁装置は、前記第２端面に開口する給排口と、排気ファンとを連通させて、燃焼室の燃焼ガスを排気する排気位置と、加熱すべき気体の流路と前記給排口とを連通させて、燃焼室に高温気流を導入する高温気流導入位置とに切換制御されることを特徴とする請求項１乃至７のいずれか１項に記載の高温気流発生装置。
【請求項９】
前記燃料及び燃焼用空気、又は燃焼ガスを前記燃焼室に吹込む前記燃焼装置の噴流口の中心軸線と、前記蓄熱装置の給排口の中心軸線とは、互いに偏心した位置に位置決めされることを特徴とする請求項１乃至８のいずれか１項に記載の高温気流発生装置。
【発明の詳細な説明】
【技術分野】
【０００１】
本発明は、高温気流発生装置に関するものであり、より詳細には、蓄熱体の蓄熱・放熱作用を利用して比較的低温の気流を高温に加熱する高温気流発生装置に関するものである。
【背景技術】
【０００２】
７００℃を超える高温の気流を発生させる高温気流発生装置が、本出願人の特願平１０−１８９号（特開平１０−２４６４２８号公報）等によって知られている。この高温気流発生装置は、直列に配置した燃焼域及び蓄熱体を備える。燃焼域で発生した高温の燃焼ガスが、蓄熱体を介して排気され、蓄熱体は、燃焼ガスと伝熱接触して燃焼ガスの顕熱を受熱し、蓄熱する。比較的低温の空気、不活性ガス、水蒸気等の気流が蓄熱後の高温蓄熱体を収容した蓄熱体収容領域に導入される。気流は、蓄熱体と伝熱接触して受熱し、高温に加熱され、蓄熱体は冷却する。加熱後の気流は、燃焼域を介して高温気流発生装置の送出路に流出し、送出路を介して他の機器又は装置等に供給される。
【０００３】
この形式の高温気流発生装置では、蓄熱体及び燃焼域を直列に配置した加熱ユニットが対をなして配置され、一方の加熱ユニットが蓄熱工程（蓄熱体を介して燃焼域の燃焼ガスを排気する工程）を実行する間、他方の加熱ユニットが放熱工程（蓄熱体及び燃焼域を介して低温気流を高温気流送出路に送出する工程）を実行する。各加熱ユニットの工程は、交互に切換えられ、加熱後の気流は、少なくとも一方の加熱ユニットから高温気流送出路に送出される。
【０００４】
このような高温気流発生装置は、本出願人の特願２００１−１７６３７９号（特開２００２−３６４８３４号公報）又は特願２００１−１７６３８０号（特開２００２−３６４８２２号公報）にも又、開示されている。
【特許文献１】特開平１０−２４６４２８号公報
【特許文献２】特開２００２−３６４８３４号公報
【特許文献３】特開２００２−３６４８２２号公報
【発明の開示】
【発明が解決しようとする課題】
【０００５】
従来の高温気流発生装置は、蓄熱体及び燃焼域を直列に配置した構成を有し、給気流は、蓄熱体の入口部分から燃焼域の出口部分に至る直線的流路形態の流路内を流動する。このような高温気流発生装置の設計においては、高温気流発生装置の全長は、直線的流路形態の流路を確保し得る十分な寸法に設計しなければならず、装置全体のサイズが大型化していた。
【０００６】
従来の高温気流発生装置は又、限られた容積の燃焼域に比較的多量の燃料を投入して燃焼反応を生じさせる構成を備えており、燃焼域の容積を制限すると、高負荷燃焼が燃焼域に生じ、火炎温度が上昇する傾向がある。このような高温の火炎は、比較的高い窒素酸化物（ＮＯｘ）濃度の燃焼排ガスを生成し易い。このような事情より、従来の高温気流発生装置は、比較的大きな容積の燃焼域を備えており、装置サイズが全体的に大型化していた。
【０００７】
また、従来の高温気流発生装置は、蓄熱体及び燃焼域を直列に配置してなる加熱ユニットを並列に配置した構造を有し、各加熱ユニットの燃焼域は、耐熱性を有する隔壁によって分離される。一方の燃焼域の燃焼装置が燃焼作動する間、他方の燃焼域は、加熱後の高温給気流の流動領域として使用される。各ユニットの燃焼域に交互に燃焼反応が進行するので、隔壁には、かなりの熱応力が発生し、熱応力による亀裂等が発生し易い。本出願人の実験によれば、このような隔壁の亀裂によって燃焼室間に高温気流及び燃焼ガスのリーク及び混合が発生し得る。例えば、或る条件では、不燃性の気流が燃焼中の燃焼室にリークし、燃焼反応を阻害するといった不都合が生じた。
【０００８】
本発明は、このような課題に鑑みてなされたものであり、その目的とするところは、比較的コンパクトな構造に設計することができる高温気流発生装置を提供することにある。
【０００９】
本発明は又、高負荷燃焼に起因した排ガス中の窒素酸化物濃度の増加を防止し、装置サイズを小型化することができる高温気流発生装置を提供することを目的とする。
【００１０】
本発明は更に、隔壁の熱応力を抑制し、隔壁の亀裂を防止することができる高温気流発生装置を提供することを目的とする。
【課題を解決するための手段】
【００１１】
本発明は、上記目的を達成すべく、第１燃焼装置及び第１蓄熱装置を備えた第１燃焼室と、第２燃焼装置及び第２蓄熱装置を備えた第２燃焼室と、第１及び第２燃焼装置を交互に燃焼作動させる燃焼装置切換手段と、各蓄熱装置を排気状態又は高温気流導入状態に切換える蓄熱装置切換手段とを有する高温気流発生装置において、
前記燃焼室は、対向する第１及び第２端面と、端面間に延びる頂面とを有し、前記燃焼装置は、第１端面に開口して前記燃焼室に燃料及び燃焼用空気、又は燃焼ガスを吹込み、前記蓄熱装置は、前記第２端面に開口して前記燃焼室の燃焼ガスを排気するとともに、加熱すべき気体を加熱して、高温気流として前記第２端面から燃焼室に吹込み、
該高温気流を前記燃焼室から導出する高温気流導出口が、前記頂面に開口することを特徴とする高温気流発生装置を提供する。
【００１２】
本発明の上記構成によれば、第１端面の燃焼装置から燃焼室に噴流した燃料及び燃焼用空気、又は燃焼ガスは、第２端面の蓄熱装置を介して排気され、燃焼ガスの熱は、蓄熱装置に蓄熱される。蓄熱装置によって加熱された高温気流は、第２端面から燃焼室に噴流する。高温気流導出口が、燃焼室の頂面に開口するので、高温気流は、燃焼装置の噴流方向と交差する方向に燃焼室から導出される。従って、第１端面及び第２端面の間の距離は、燃焼装置及び蓄熱装置によって燃焼室の燃焼反応を適切に進行させることができる距離に設定すれば良い。これは、高温気流を転向させずに装置外に導出していた従来の高温気流発生装置と相違し、燃焼室容積の限定（従って、高温気流発生装置の装置サイズの小型化）を可能にする。
【００１３】
本発明は又、上記構成の高温気流発生装置において、加熱すべき気体は、水蒸気であり、一方の燃焼室に導入された高温気流の一部を他方の燃焼室に供給するバイパス流路を備えたことを特徴とする高温気流発生装置を提供する。
【００１４】
本発明の上記構成によれば、バイパス流路を介して高温水蒸気が燃焼中の燃焼室に供給される。燃焼室の火炎温度は、水蒸気の添加によって低下するので、燃焼排ガス中の窒素酸化物濃度は低下する。従って、窒素酸化物濃度の増加を防止しつつ、燃焼室の容積を低減し、装置サイズを小型化することができる。
【００１５】
本発明は更に、上記構成の高温気流発生装置において、燃焼室の燃焼排ガスの一部が、前記燃焼装置の燃焼用空気に添加されることを特徴とする高温気流発生装置を提供する。
【００１６】
本発明の上記構成によれば、燃焼装置の燃焼用空気が燃焼排ガスで希釈される。燃焼室の火炎温度は低下し、燃焼排ガス中の窒素酸化物濃度は低下する。従って、窒素酸化物濃度の増加を防止しつつ、燃焼室の容積を低減し、装置サイズを小型化することができる。
【００１７】
本発明は又、上記構成の高温気流発生装置において、前記第１及び第２燃焼室の隔壁を構成する一次加熱装置が、前記第１及び第２燃焼室の間に配置され、前記一次加熱装置は、加熱すべき気体又は該気体として気化すべき液体が流通可能な伝熱管を有し、前記一次加熱装置は、前記燃焼室の燃焼熱が前記伝熱管内の前記気体又は前記液体に熱伝導し、該気体又は液体が加熱される構造を有することを特徴とする高温気流発生装置を提供する。
【００１８】
本発明の上記構成によれば、燃焼室の間の隔壁に熱伝達した燃焼室の熱は、一次加熱装置を流通する流体に吸熱される。従って、隔壁の熱応力を抑制し、隔壁の亀裂を防止することができる。
【発明の効果】
【００１９】
高温気流を転向させて燃焼室の頂面から装置外に導出する本発明の上記構成によれば、高温気流発生装置を比較的コンパクトな構造に設計することができる。
【００２０】
高温水蒸気を燃焼状態の燃焼室に供給し、或いは、燃焼排ガスの一部を燃焼装置の燃焼用空気に添加する本発明の上記構成によれば、高負荷燃焼に起因した排ガス中の窒素酸化物濃度の増加を防止しつつ、高温気流発生装置の装置サイズを小型化することができる。
【００２１】
第１及び第２燃焼室の間に一次加熱装置を配置した本発明の上記構成によれば、高温気流発生装置の隔壁の熱応力を抑制し、隔壁の亀裂を防止することができる。
【発明を実施するための最良の形態】
【００２２】
好ましくは、高温気流室が、該頂壁の上側に配設され、上記第１及び第２燃焼室の高温気流導出口から上方に延びる第１及び第２流路が燃焼室の頂壁を貫通し、高温気流室に開口する。第１及び第２燃焼室の高温気流が高温気流室に流入する。高温気流室には、高温気流を系外の装置又は設備に給送する高温気流送出管が接続される。
【００２３】
更に好ましくは、第１及び第２流路は、各流路の上部が互いに接近するように対称に傾斜し、高温気流送出管は、第１及び第２流路の中間において高温気流室の頂壁に開口し、各流路の上端開口が傾斜方向に吐出した高温気流を受入れる。
【００２４】
好適には、ハニカム構造の蓄熱体が第１及び第２流路に配置される。高温気流は、蓄熱体の狭小流路を介して高温気流室に吐出する。ハニカム構造の蓄熱体は、第１及び第２流路に流路抵抗を与え、高温気流室の高温気流が燃焼中の燃焼室に逆流するのを防止するとともに、高温気流の温度を安定させるように作用する。
【００２５】
本発明の好適な実施形態において、上記蓄熱装置は、ハニカム構造のセラミックス製蓄熱体と、給排切換弁装置とを備えた蓄熱ユニットからなる。蓄熱体は、高い温度効率のリジェネレータ型熱交換器を構成する。給排切換弁装置は、第２端面に開口する給排口と、排気ファンとを連通させて、燃焼室の燃焼ガスを排気する排気位置と、加熱すべき気体の流路と給排口とを連通させて、燃焼室に高温気流を導入する高温気流導入位置とに切換制御される。
【００２６】
本発明の更に好適な実施形態によれば、燃料及び燃焼用空気、又は燃焼ガスを燃焼室に吹込む燃焼装置の噴流口の中心軸線と、蓄熱装置の給排口の中心軸線とは、互いに偏心した位置に位置決めされる。燃焼装置の噴流は、給排口にショートパスすることなく、燃焼室内に滞留し、或いは、炉内ガス循環流を形成し、燃焼室の燃焼反応を効果的に進行させる。これは、第１及び第２端面の距離の短縮を可能にし、従って、燃焼室容積の適切な縮小を可能にする。
【００２７】
以下、添付図面を参照して、本発明の好適な実施例について詳細に説明する。
【００２８】
図１は、本発明に係る高温気流発生装置の実施例を示す側面図である。
【００２９】
高温気流発生装置１は、加熱炉２、バーナユニット３、一次加熱装置４、蓄熱ユニット５及び排気ファン７を備える。炭化水素系燃料及び燃焼用空気をバーナユニット３に供給する燃料供給管３１及び空気供給管３２がバーナユニット３に接続される。水蒸気供給管４１が、一次加熱装置４の流入部４２に接続され、上下一対の水蒸気中継管４４が、一次加熱装置４の上下の流出部４３に夫々接続される。
【００３０】
上下の中継管４４は、合流管４５に接続され、合流管４５は、蓄熱ユニット５の水蒸気供給ポート５１に接続される。排気管７１が、蓄熱ユニット５の排気ポート５２に接続される。排気管７１は、排気ファン（又は排気ブロワ）７の吸引口に接続される。排気管７２が、排気ファン７の吐出口に接続される。分岐管７３が、排気管７２から分岐し、空気供給管３２に接続される。
【００３１】
加熱炉２は、高温水蒸気送出部８を備える。高温水蒸気送出管８１が、送出部８に接続され、送出管８１は、７００℃以上の高温の水蒸気を系外の設備又は装置（図示せず）に供給する。
【００３２】
制御弁３３、３４、７４が供給管３１、３２及び分岐管７３に夫々介装される。制御弁３３、３４、７４の各駆動部が、制御信号線（破線で示す）を介して制御ユニット９に接続される。蓄熱ユニット５の弁駆動装置６２が、制御信号線を介して制御ユニット９に接続される。制御ユニット９は、制御弁３３、３４、７４及び弁駆動装置６２を駆動し、高温気流発生装置１の作動を制御する。
【００３３】
図２は、図１のII−II線における高温気流発生装置１の断面図である。図３、図４、図５及び図６は、図２に示すIII−III線、IV−IV線、Ｖ−Ｖ線及びVI−VI線における高温気流発生装置１の断面図である。また、図７及び図８は、蓄熱ユニット５の構造を示す縦断面図である。
【００３４】
図２及び図３に示すように、加熱炉２は、左右一対の燃焼室２１を備える。各燃焼室２１は、炉内壁面を形成する耐火壁２２によって区画される。耐火壁２２の外面は、比較的硬質の断熱材２３によって被覆される。一次加熱装置４は、加熱炉２の中心軸線ＣＬ（図２）上に配置される。図３に示す如く、加熱炉２は、垂直中心面ＣＰに対して左右対称の構造及び形態を有し、一次加熱装置４は、垂直中心面ＣＰにおいて加熱炉２を分割する。
【００３５】
各燃焼室２１は、直方体輪郭を有し、バーナユニット３及び蓄熱ユニット５は、各燃焼室２１の端面２１ａ、２１ｂ（図２）に夫々配置される。
【００３６】
バーナユニット３の噴射口３６が、端面２１ａに開口し、バーナユニット３のバーナスロート部３５が、耐火壁２２及び断熱材２３を貫通する。バーナスロート部３５は、中心軸線ＣＬと平行に配向され、噴射口３６は、燃料及び燃焼用空気の混合気を中心軸線ＣＬと平行に燃焼室２１に吐出する。
【００３７】
バーナユニット３の基端部は炉外に突出し、燃料及び燃焼用空気を混合する混合部３７が、バーナユニット３の炉外突出部分に配置される。燃料供給管３１及び燃焼用空気供給管３２は、混合部３７に接続され、炭化水素系燃料及び燃焼用空気が制御弁３３、３４の制御下に混合部３７に供給される。燃料及び空気の混合気は、噴射口３６から燃焼室２１に噴射し、燃焼室２１内に火炎Ｆを生成する。なお、バーナユニット３は、パイロットバーナ等の付帯設備（図示せず）を備えるが、バーナユニット３の付帯設備は、従来構造のものであるので、説明を省略する。
【００３８】
蓄熱ユニット５の給排口５７が、端面２１ｂに開口する。蓄熱ユニット５の蓄熱装置５３が、耐火壁２２及び断熱材２３を貫通する。蓄熱ユニット５は、中心軸線ＣＬと平行に配向され、給排口５７は、加熱後の水蒸気を中心軸線ＣＬと平行に燃焼室２１に吐出する。蓄熱ユニット５の給排切換弁装置６０が炉外に突出する。給排切換弁装置６０のポート５１、５２には、前述の如く、合流管４５及び排気管７１が接続される。
【００３９】
対をなすバーナユニット３は、交互に燃焼作動し、燃焼作動側の燃焼室２１（図２〜図５に示す第１燃焼室２１−１）の燃焼ガスは、蓄熱ユニット５の給排口５７から排気される。他方、燃焼停止側の燃焼室２１（図２〜図５に示す第２燃焼室２１−２）に配置された蓄熱ユニット５は、蓄熱装置５３によって加熱した高温の水蒸気を給排口５７から燃焼室２１に噴射する。
【００４０】
図７及び図８には、各蓄熱ユニット５の構造が示されている。蓄熱装置５３及び給排切換弁装置６０から構成される。蓄熱装置５３は、蓄熱体ケース５５内に蓄熱体５６を収容した構造を有する。蓄熱体５６は、円柱形の外形を有するハニカム構造のセラミックス製蓄熱体からなり、多数の狭小流路を有する。蓄熱体５６の各流路は、蓄熱ユニット５の軸線方向に蓄熱体５６を貫通する。蓄熱体５６は、リジェネレータ型熱交換器を構成し、０．９以上の温度効率を発揮する。この形式の熱交換器の構造は、例えば、本願出願人による特願平5-6911号（特開平6-213585号公報）等に詳細に開示されているので、更なる詳細な説明は、省略する。
【００４１】
蓄熱体ケース５５は、耐火壁２２及び断熱材２３を貫通する金属製又はセラミック製の円筒形部材からなり、耐火壁２２に一体的に支持される。蓄熱体ケース５５の先端部は、蓄熱体５６の先端面から炉内領域に若干突出し、僅かに縮径して燃焼室２１に開口する。蓄熱体ケース５５の先端円形開口は、給排口５７を構成する。給排口５７は、燃焼室２１の炉内ガスを吸引する炉内ガス吸引口として機能するとともに、加熱後の水蒸気を燃焼室２１に噴射する高温水蒸気噴射口として機能する。
【００４２】
給排切換弁装置６０は、蓄熱装置５３と同軸上に整列し、断熱材２３から炉外に突出する。弁装置６０は、弁機構６１及び弁駆動装置６２を備える。弁駆動装置６２は、制御ユニット９の制御下に弁機構６１を駆動し、弁機構６１を排気位置又は水蒸気導入位置に切換える。弁機構６１は、水蒸気供給ポート５１及び排気ポート５２を選択的に開閉する二位置制御弁として機能する。
【００４３】
図７には、弁機構６１の排気位置が示されており、排気ファン７の吸引圧力が、排気管７１、弁装置６０及び蓄熱装置５３を介して給排口５７に作用する。弁機構６１の排気位置では、燃焼室２１の燃焼排ガスは、排気ファン７の吸引圧力によって給排口５７から蓄熱体５６の流路に流入し、弁機構６１を介して炉外に排気される。図８には、弁機構６１の水蒸気導入位置が示されており、合流管４５の水蒸気圧が、弁装置６０及び蓄熱装置５３を介して給排口５７に作用する。弁機構６１の供給位置では、蓄熱体５６によって加熱された高温の水蒸気が給排口５７から燃焼室２１に噴流する。
【００４４】
図７（Ｂ）には、給排切換弁装置６０の構造が示されている。
【００４５】
弁機構６１は、弁体６５、給排管６６、エルボ管６７及び弁座部６８から構成される。エルボ管６７は、排気ポート５２と連通する。エルボ管６７の開口部６９が、給排管６６の管内領域６９に開口する。弁座部６８の弁開口が、開口部６９と対向する。
【００４６】
弁駆動装置６２は、ピストンロッド６４を備えた駆動部（アクチュエータ）と、水蒸気供給ポート５１を備えた弁ハウジング６３とを備える。ピストンロッド６４は、弁座部６８の開口部を貫通する。ピストンロッド６４の先端部には、弁体６５が固定される。
【００４７】
図７に示す弁機構６１の排気位置では、弁駆動装置６２は、ピストンロッド６４を弁ハウジング６３内に引き込み、弁体６５は、弁座部６８に着座する。弁座部６８の弁開口は閉塞し、エルボ管６７の開口部６９は、開放する。開口部６９の開放により、排気口５２及び管内領域６９は連通する。弁座部６８の弁開口閉塞により、水蒸気供給ポート５１は閉鎖する。
【００４８】
他方、図８に示す弁機構６１の水蒸気導入位置では、弁駆動装置６２は、ピストンロッド６４を伸長する。弁体６５は、エルボ管６７の開口部６９を閉塞し、弁座部６８の弁開口を開放する。開口部６９の閉塞により、排気口５２は閉鎖する。弁座部６８の弁開口開放により、水蒸気供給ポート５１及び及び管内領域６９は連通する。
【００４９】
図３〜図５に示す如く、水蒸気流路２４が、各燃焼室２１の頂面２１ｃに開口する。流路２４は、耐火壁２２を垂直に貫通し、蓄熱体２５の下端部に連通する。蓄熱体２５は、その上端部を垂直中心面ＣＰに接近せしめるように上方且つ内方に傾斜している。蓄熱体２５は、前述の蓄熱体５６と同様、円柱形の外形を有するハニカム構造のセラミックス製蓄熱体からなり、多数の狭小流路を有する。蓄熱体２５は、金属製の蓄熱体ケース２６内に収容される。蓄熱体ケース２６の先端部は、高温水蒸気送出部８の水蒸気室８０内に延び、僅かに縮径して水蒸気室８０に開口する。従って、蓄熱体２５の上端面に露出する各狭小流路の開口端は、水蒸気室８０に開放される。
【００５０】
高温水蒸気送出部８は、断熱材２３によって形成され、水蒸気室８０は、直方体輪郭に区画される。高温水蒸気送出口８２が、水蒸気室８０の頂壁に形成される。送出口８２は、高温水蒸気送出管８１に接続される。
【００５１】
図３及び図６に示す如く、一次加熱装置４は、垂直中心面ＣＰにおいて左右の燃焼室２１を分離するように配置される。一次加熱装置４は、加熱炉２の高さ中心に配置された流入部４２（図６）と、流入部４２から分岐した上下対称の伝熱管４７と、伝熱管４７を埋設した金属製の垂直壁４８と、伝熱管４７の末端部からなる上下の流出部４３とから構成される。前述の如く、流入部４２には、水蒸気供給管４１が接続され、流出部４３には、水蒸気中継管４４が接続される。伝熱管４７は、Ｕチューブ形態に垂直壁４８内に配管される。伝熱管４７のＵ字管部分及び流出部４３は、垂直壁４８の端面から突出する。
【００５２】
流入部４２に流入した飽和水蒸気は、伝熱管４７を流通し、流出部４３から中継管４４に流出する。図３において、燃焼作動中の燃焼室２１（第１燃焼室２１−１）の燃焼熱は、耐火壁２２及び垂直壁４８を介して伝熱管４７に熱伝達する。伝熱管４７内の飽和水蒸気は、伝熱管４７に熱伝導した熱を受熱し、加熱され、例えば、温度１５０〜２００℃の過熱水蒸気として中継管４４に流出し、合流管４５によって蓄熱ユニット５の水蒸気供給ポート５１に供給される。
【００５３】
図３に示すように、加熱炉２は更に、左右の燃焼室２を相互連通するバイパス流路８５を備える。バイパス流路８５の流路端は、燃焼室２の底面２１ｄに開口する。バイパス流路８５は、耐火壁２２を貫通し、或いは、耐火壁２２及び断熱材２３を貫通する。燃焼停止中の燃焼室２１（第２燃焼室２１−２）に流入した高温水蒸気の一部が、バイパス流路８５を介して燃焼作動中の燃焼室２１（第１燃焼室２１−１）に流入する。
【００５４】
図３〜図５に示す如く、バーナユニット３の中心軸線Ｃ１と、蓄熱ユニット５の中心軸線Ｃ２とは、横方向（水平方向）及び上下方向（鉛直方向）に互いに偏心した位置に配置される。従って、バーナユニット３が噴射した燃料及び燃焼用空気は、蓄熱ユニット５の給排口５７にショートパスすることなく、燃焼室２（第１燃焼室２１−１）内に滞留し又は炉内循環し、火炎Ｆを形成する。
【００５５】
次に、高温気流発生装置１の作動について説明する。
【００５６】
左右の燃焼室２１に配置されたバーナユニット３は、同時に燃焼作動することなく、交互に燃焼作動する。バーナユニット３を燃焼作動した燃焼室２１においては、蓄熱ユニット５の弁機構６１は、排気位置に保持され、蓄熱ユニット５は、排気手段として使用される。他方、バーナユニット３を休止した側の燃焼室２１においては、弁機構６１は、水蒸気導入位置に保持され、蓄熱ユニット５は、水蒸気を加熱する水蒸気加熱手段として使用される。
【００５７】
図２〜図５に示す高温気流発生装置１の作動状態では、第１燃焼室２１−１に配置されたバーナユニット３は、炭化水素系燃料及び燃焼用空気の混合気を第１燃焼室２１−１に噴射し、第１燃焼室２１−１に火炎Ｆを生成する。第１燃焼室２１−１の燃焼ガスは、第１燃焼室２１−１の蓄熱装置５３を介して排気される。燃焼ガスは、蓄熱体５６と伝熱接触して冷却する。蓄熱体５３は、燃焼ガスが保有する顕熱を受熱して高温に加熱され、燃焼ガスの顕熱を蓄熱する。冷却後の燃焼ガスは、排気管７１、排気ファン７及び排気管７２によって燃焼排ガスとして排気される。燃焼排ガスの一部が、分岐管７３及び制御弁７４によって空気供給管３２の燃焼用空気に添加される。燃焼用空気は、燃焼排ガスによって希釈される。火炎Ｆの火炎温度が低下するとともに、第１燃焼室２１−１に生成する燃焼ガスの窒素酸化物（ＮＯｘ）濃度が低下する。
【００５８】
他方、第２燃焼室２１−２に配置されたバーナユニット３は、燃焼作動を休止しており、第２燃焼室２１−２の蓄熱体５６は、直前に実行した第２燃焼室２１−２のバーナユニット燃焼運転によって既に蓄熱している。一次加熱装置４によって一次加熱された水蒸気が、蓄熱装置５３を介して第２燃焼室２１−２に供給される。水蒸気は、蓄熱体５６と伝熱接触して７００℃以上の高温に加熱される。加熱後の高温水蒸気は、給排口５７から第２燃焼室２１−２に噴流する。
【００５９】
高温水蒸気の噴流は、第２燃焼室２１−２の端面２１ａに衝突した後、水蒸気流路２４、蓄熱体２５、水蒸気室８０及び高温水蒸気送出口８２を介して高温水蒸気送出管８１に送出され、系外の設備機器等に供給される。
【００６０】
第２燃焼室２１−２に供給された高温水蒸気の一部が、バイパス管８５を介して第１燃焼室２１−１に流入する。７００℃以上の高温水蒸気は、第１燃焼室２１−１の燃焼反応を阻害せずに火炎Ｆの火炎温度を低下させるとともに、第１燃焼室２１−１に生成した燃焼ガスの窒素酸化物（ＮＯｘ）濃度を低下させるように作用する。
【００６１】
制御ユニット９は、第１燃焼室２１−１のバーナユニット３を燃焼作動し、第２燃焼室２１−２の蓄熱ユニット５によって高温水蒸気を供給する高温気流発生装置１の運転を所定時間継続した後、制御弁３３、３４、７４及び弁駆動装置６２を実質的に同時に駆動し、高温気流発生装置１の運転を切換える。この結果、高温気流発生装置１は、第２燃焼室２１−２のバーナユニット３を燃焼作動し、第１燃焼室２１−１の蓄熱ユニット５によって水蒸気を加熱する作動状態に移行する。
【００６２】
このような高温気流発生装置１の作動状態が、図９〜図１２に示されている。
【００６３】
図９〜図１２に示す如く、第２燃焼室２１−２に配置されたバーナユニット３は、燃料及び燃焼用空気の混合気を第２燃焼室２１−２に噴射し、第２燃焼室２１−２に火炎Ｆを生成する。第２燃焼室２１−２の燃焼ガスは、第１燃焼室２１−１の蓄熱装置５３を介して排気される。燃焼ガスは、蓄熱体５６と伝熱接触して冷却し、蓄熱体５３は、燃焼ガスの顕熱を蓄熱する。冷却後の燃焼ガスは、排気管７１、排気ファン７及び排気管７２によって燃焼排ガスとして排気される。燃焼排ガスの一部が、分岐管７３及び制御弁７４を介して空気供給管３２の燃焼用空気に添加される。燃焼用空気は、燃焼排ガスによって希釈される。火炎Ｆの火炎温度は低下し、第２燃焼室２１−２に生成する燃焼ガスの窒素酸化物（ＮＯｘ）濃度は低下する。
【００６４】
第１燃焼室２１−１に配置されたバーナユニット３は、燃焼作動を休止しており、第１燃焼室２１−１の蓄熱体５６は、直前に実行した第１燃焼室２１−１の燃焼運転によって既に蓄熱している。一次加熱装置４によって一次加熱された水蒸気が、蓄熱装置５３を介して第１燃焼室２１−１に供給される。水蒸気は、蓄熱体５６と伝熱接触して７００℃以上の高温に加熱され、加熱後の高温水蒸気は、給排口５７から第１燃焼室２１−１に噴流する。
【００６５】
高温水蒸気の噴流は、第１燃焼室２１−１の端面２１ａに衝突した後、水蒸気流路２４、蓄熱体２５、水蒸気室８０及び高温水蒸気送出口８２を介して高温水蒸気送出管８１に送出される。
【００６６】
第１燃焼室２１−１に供給された高温水蒸気の一部が、バイパス管８５を介して第２燃焼室２１−２に流入する。７００℃以上の高温水蒸気は、第２燃焼室２１−２の燃焼反応を阻害せずに火炎Ｆの火炎温度を低下させるとともに、第２燃焼室２１−２に生成した燃焼ガスの窒素酸化物（ＮＯｘ）濃度を低下させるように作用する。
【００６７】
高温気流発生装置１は、図９〜図１２に示す作動状態を所定時間継続した後、制御弁３３、３４、４６及び弁駆動装置６２を駆動して高温気流発生装置１の運転を切換える。高温気流発生装置１は、このような二形態の作動を制御ユニット９の制御下に交互に実行し、７００℃以上の高温水蒸気を継続的に高温水蒸気送出管８１に送出し、系外の設備機器等に連続供給する。
【００６８】
図７及び図８に示す各温度、即ち、燃焼室２１の燃焼ガスの温度Ｔｉ、加熱後の高温水蒸気の温度Ｔｏ、燃焼排ガス温度Ｔ１（排気管７１）および一次加熱後の過熱水蒸気の温度Ｔ２（合流管４５）は、例えば、以下のとおり設定される。
【００６９】
燃焼ガスの温度Ｔｉ：Ｔｉ＝１２００〜１４００℃
高温水蒸気温度Ｔｏ：Ｔｏ＝１１００〜１３００℃
燃焼排ガス温度Ｔ１：Ｔ１＝２００〜２５０℃
過熱水蒸気温度Ｔ２：Ｔ２＝１５０〜２００℃      
【００７０】
以上、本発明の好適な実施例について詳細に説明したが、本発明は上記実施例に限定されるものではなく、特許請求の範囲に記載された本発明の範囲内で種々の変形又は変更が可能であり、このような変形例又は変更例も又、本発明の範囲内に含まれるものであることは、いうまでもない。
【００７１】
例えば、上記実施例では、高温気流発生装置は、飽和水蒸気を一次加熱装置によって一次加熱するように構成されているが、水又は純水を一次加熱装置に供給し、水又は純水を一次加熱装置によって気化するように高温気流発生装置を構成しても良い。
【００７２】
また、高温気流発生装置は、７００℃以上の高温水蒸気を発生させる高温水蒸気流発生装置として例示したが、不活性ガス又は空気等の他の気体を高温に加熱する装置として高温気流発生装置を構成し、或いは、水蒸気及び炭化水素（又は炭素）の混合気を加熱し、水素等の成分を含む合成ガスや、水性ガス等を生成する装置として、本発明の高温気流発生装置を構成しても良い。
【産業上の利用可能性】
【００７３】
本発明は、蓄熱体を介してなされる燃焼ガス及び気体の実質的に直接的な熱交換を利用して、比較的低温の水蒸気、空気、不活性ガス等の気体を高温に加熱する高温気流発生装置に適用される。本発明は、比較的コンパクトな高温気流発生装置を提供する。本発明は又、高温気流発生装置の燃焼室から排気される燃焼排ガスの窒素酸化物濃度を増加させることなく、高温気流発生装置の小型化を可能にするとともに、燃焼室間の隔壁の亀裂発生等を防止することを可能にする。従って、本発明は、高温気流発生装置の用途又は適用範囲を拡大する上で有利である。
【図面の簡単な説明】
【００７４】
【図１】本発明に係る高温気流発生装置の実施例を示す側面図である。
【図２】図１のII−II線における高温気流発生装置の断面図であり、第１燃焼室のバーナユニットを燃焼作動させた状態が示されている。
【図３】図２のIII−III線における高温気流発生装置の断面図であり、第１燃焼室のバーナユニットを燃焼作動させた状態が示されている。
【図４】図２のIV−IV線における高温気流発生装置の断面図であり、第１燃焼室のバーナユニットを燃焼作動させた状態が示されている。
【図５】図２のＶ−Ｖ線における高温気流発生装置の断面図であり、第２燃焼室に高温水蒸気を供給する状態が示されている。
【図６】図２のVI−VI線における高温気流発生装置の断面図であり、第１燃焼室のバーナユニットを燃焼作動させた状態が示されている。
【図７】蓄熱ユニットの構造を示す縦断面図であり、排気工程の蓄熱ユニットの作動が示されている。
【図８】蓄熱ユニットの構造を示す縦断面図であり、水蒸気加熱工程の蓄熱ユニットの作動が示されている。
【図９】図１のII−II線における高温気流発生装置の断面図であり、第２燃焼室のバーナユニットを燃焼作動させた状態が示されている。
【図１０】第２燃焼室のバーナユニットを燃焼作動させた状態を示す図３と同様の断面図である。
【図１１】第１燃焼室に高温水蒸気を供給する状態を示す断面図である。
【図１２】第２燃焼室のバーナユニットを燃焼作動させた状態を示す断面図である。
【符号の説明】
【００７５】
１：高温気流発生装置
２：加熱炉
３：バーナユニット
４：一次加熱装置
５：蓄熱ユニット
７：排気ファン
９：制御ユニット
２１：燃焼室
２１−１：第１燃焼室
２１−２：第２燃焼室
２２：耐火壁
２３：断熱材
３１：燃料供給管
３２：空気供給管
３５：バーナスロート部
３６：噴射口
５１：水蒸気供給ポート
５２：排気ポート
５３：蓄熱装置
５６：蓄熱体
５７：給排口
６０：給排切換弁装置
６２：弁駆動装置
Ｆ：火炎
【図１】
0004643385.tif 000002
【図２】
0004643385.tif 000003
【図３】
0004643385.tif 000004
【図４】
0004643385.tif 000005
【図５】
0004643385.tif 000006
【図６】
0004643385.tif 000007
【図７】
0004643385.tif 000008
【図８】
0004643385.tif 000009
【図９】
0004643385.tif 000010
【図１０】
0004643385.tif 000011
【図１１】
0004643385.tif 000012
【図１２】
0004643385.tif 000013